(57)【要約】【課題】  全色を提示する色カタログから希望の色の選択が可能であり、多角度画像情報を参照して選択することが可能であり、装置が複雑・高価とならない電子塗色カタログ装置等を提供することを目的とする。【解決手段】  塗色カタログ情報処理手段１１、塗色カタログ情報格納手段１３、入力装置１０及び表示装置１２を有するコンピュータを利用した電子塗色カタログ装置において、塗色カタログ情報格納手段１３は、多角度画像情報を含む塗色に係る塗色情報を、塗色毎に対応させた塗色リストを格納し、塗色カタログ情報処理手段１１は、入力装置１０により入力された入力情報に応じて、塗色カタログ情報格納手段１３に格納された塗色リストを表示装置１２に表示するリスト表示手段１１１と、入力装置１０により成された表示装置１２に表示された塗色リストの中からの特定の塗色の選択を受付ける選択受付手段１１２と、選択された塗色の塗色に係る情報を表示装置１２に表示する詳細情報表示手段１１３とを有することを特徴とする。【選択図】  図１
2005339381.tif 000002
【特許請求の範囲】
【請求項１】
塗色カタログ情報処理手段、塗色カタログ情報格納手段、入力装置及び表示装置を有するコンピュータを利用した電子塗色カタログ装置において、
前記塗色カタログ情報格納手段は、多角度画像情報を含む塗色に係る塗色情報を、塗色毎に対応させた塗色リストを格納し、
前記塗色カタログ情報処理手段は、前記入力装置により入力された入力情報に応じて、塗色カタログ情報格納手段に格納された塗色リストの全部又は一部を前記表示装置に表示するリスト表示手段と、前記入力装置により成された前記表示装置に表示された前記塗色リストの中からの特定の塗色の選択を受付ける選択受付手段と、選択された塗色の塗色に係る情報を前記表示装置に表示する詳細情報表示手段とを有することを特徴とする電子塗色カタログ装置。
【請求項２】
塗色カタログ情報処理手段、塗色カタログ情報格納手段、入力装置及び表示装置を有する電子塗色カタログ装置において、
前記塗色カタログ情報格納手段は、多角度画像情報及び色図表示情報を含む塗色に係る塗色情報を、塗色毎に対応させた塗色リストを格納し、
前記塗色カタログ情報処理手段は、前記入力装置により入力された入力情報に応じて、塗色の全部又は一部を前記表示装置に色図表示する色図表示手段と、前記入力装置により成された前記表示装置に表示された前記塗色リストの中からの特定の塗色の選択を受付ける選択受付手段と、選択された塗色の塗色に係る情報を前記表示装置に表示する詳細情報表示手段とを有することを特徴とする電子塗色カタログ装置。
【請求項３】
所定の塗色を検索する検索手段、近似する塗色を検索する近似検索手段、及び前記表示装置に塗色リストを表示する表示手段とを更に有し、
前記検索手段又は前記近似検索手段の処理、前記表示手段の処理、前記選択受付手段の処理、前記詳細情報表示手段の処理を順次行うことを特徴とする請求項２記載の電子カタログ装置。
【請求項４】
前記入力情報は、前記表示装置に表示されるカタログ情報を含むことを特徴とする請求項１ないし３いずれか一項記載の電子塗色カタログ装置。
【請求項５】
前記塗色に係る情報は、湾曲塗板情報を含むことを特徴とする請求項１ないし４いずれか一項記載の電子塗色カタログ装置。
【請求項６】
前記多角度画像情報又は前記湾曲塗板情報は、デジタルカメラによって撮影された画像情報、スキャナによって取り込んだ画像情報又は測色値から作成した画像情報であることを特徴とする請求項１ないし５いずれか一項記載の電子塗色カタログ装置。
【請求項７】
前記表示装置に表示される前記色図表は、Ｌａｂ色度図、マンセル色表又はＪＡＦＣＡカラーチャートであることを特徴とする請求項２記載の電子塗色カタログ装置。
【請求項８】
前記表示装置に表示されたマンセル色表又はＪＡＦＣＡカラーチャートは、前記入力装置により入力された変換情報に応じて、縦横が変換されて表示されることを特徴とする請求項７記載の電子塗色カタログ装置。
【請求項９】
前記色図表示手段は、前記入力装置により入力された拡大範囲指定情報に応じて、指定された範囲を拡大して表示することを特徴とする請求項２ないし８いずれか一項記載の電子塗色カタログ装置。
【請求項１０】
拡大表示された画面が、前記入力装置により入力されたスクロール情報に応じて、上下又は左右にスクロールすることを特徴とする請求項９記載の電子塗色カタログ装置。
【請求項１１】
塗色に係る情報を検索キーにして、所定の塗色を検索することを特徴とする請求項１ないし１０いずれか一項記載の電子塗色カタログ装置。
【請求項１２】
塗色に係る情報を検索キーにして、近似する塗色を検索することを特徴とする請求項１ないし１０いずれか一項記載の電子塗色カタログ装置。
【請求項１３】
多角度画像情報を含む塗色に係る塗色情報を、塗色毎に対応させた塗色リストを格納した塗色カタログ情報処理手段、塗色カタログ情報格納手段、入力装置及び表示装置を有する電子塗色カタログ装置における塗色選択方法において、
前記入力装置により入力された入力情報に応じて、塗色カタログ情報格納手段に格納された塗色リストの全部又は一部を前記表示装置に表示するリスト表示ステップと、前記入力装置により成された前記表示装置に表示された前記塗色リストの中からの特定の塗色の選択を受付ける選択受付ステップと、選択された塗色の塗色に係る情報を前記表示装置に表示する詳細情報表示ステップとを有することを特徴とする塗色選択方法。
【請求項１４】
多角度画像情報及び色図表示情報を含む塗色に係る塗色情報を、塗色毎に対応させた塗色リストを格納した塗色カタログ情報処理手段、塗色カタログ情報格納手段、入力装置及び表示装置を有する電子塗色カタログ装置における塗色選択方法において、 
前記入力装置により入力された入力情報に応じて、塗色の全部又は一部を前記表示装置に色図表示する色図表示ステップと、前記入力装置により成された前記表示装置に表示された前記塗色リストの中からの特定の塗色の選択を受付ける選択受付ステップと、選択された塗色の塗色に係る情報を前記表示装置に表示する詳細情報表示ステップとを有することを特徴とする塗色選択方法。
【請求項１５】
所定の塗色を検索する検索ステップ若しくは近似する塗色を検索する近似検索処理ステップ、前記色図表示ステップ、前記選択受付ステップ、前記詳細情報表示ステップを順次行うことを特徴とする請求項１４記載の塗色選択方法。
【請求項１６】
請求項２ないし５いずれか一項記載の塗色選択方法をコンピュータに実行させるための塗色選択プログラム。
【請求項１７】
請求項１６に記載の塗色選択プログラムを格納したコンピュータが読みとり可能な記憶媒体。
【発明の詳細な説明】
【技術分野】
【０００１】
本発明は、電子塗色カタログ装置、塗色選択方法、塗色選択プログラム及び記録媒体に関する。
【背景技術】
【０００２】
色を指定又は選択する方法として、種々の方法が知られている。例えば、特許文献１には、色見本帳と対応した色リストをコンピュータの画面上に表示し、利用者は表示された色リストの中から色を選択し指定する色指定システムが開示されている。また、特許文献２には、パーソナルコンピュータを利用して、ソリッド系塗色やメタリック系塗色からなる自動車外板塗色の見本色から、被支援者が自動車外板塗色を、車体に塗装された状態で視覚的に選定でき、かつ、選定された見本色の塗料配合を直ちに知ることができる自動車外板塗色の選定支援方法が開示されている。この自動車外板塗色の選定支援方法は、パーソナルコンピュータの記憶装置に、被支援者による選択に供するための見本色を予め格納しておき、被支援者による自動車外板塗色の選定のために、表示装置に見本色を表示し、被支援者が指定した見本色を有する自動車車体の３次元ＣＧ画像を、自動車車体の３次元形状データ及び見本色の分光反射率データを用いて前記パーソナルコンピュータで作成、表示して被支援者に提示するものである。
【特許文献１】特開２００２−７４３８０号公報
【特許文献２】特開平１１−６６１１９号公報
【発明の開示】
【発明が解決しようとする課題】
【０００３】
しかしながら、特開２００２−７４３８０号公報に記載された発明は、予め、変更したい色を入力すると、変更候補色が表示され、この中から色を選択するものであり、全色から特定の色を選択することができないという問題がある。また、色の選択を、多角度の画像から選ぶことはできないので、光輝材を含む色について、的確な選択ができないという問題がある。
【０００４】
特開平１１−６６１１９号公報に記載された発明は、分光反射率データを用いてパーソナルコンピュータで作成、表示して被支援者に提示するものであり、即座に選択された色の配合を知ることができる反面、装置が大がかりとなり、装置が複雑・高価になるという問題がある。
【０００５】
本発明は、上記問題に鑑みなされたものであり、全色を提示する色カタログから希望の色の選択が可能であり、その色の選択において、多角度画像情報を参照して選択することが可能であり、更に、装置が複雑・高価とならない電子塗色カタログ装置、塗色選択方法、塗色選択プログラム及び記録媒体を提供することを目的とするものである。
【課題を解決するための手段】
【０００６】
請求項１に記載された発明は、塗色カタログ情報処理手段、塗色カタログ情報格納手段、入力装置及び表示装置を有するコンピュータを利用した電子塗色カタログ装置において、
前記塗色カタログ情報格納手段は、多角度画像情報を含む塗色に係る塗色情報を、塗色毎に対応させた塗色リストを格納し、前記塗色カタログ情報処理手段は、前記入力装置により入力された入力情報に応じて、塗色カタログ情報格納手段に格納された塗色リストの全部又は一部を前記表示装置に表示するリスト表示手段と、前記入力装置により成された前記表示装置に表示された前記塗色リストの中からの特定の塗色の選択を受付ける選択受付手段と、選択された塗色の塗色に係る情報を前記表示装置に表示する詳細情報表示手段とを有することを特徴とする。
【０００７】
請求項１に記載された発明によれば、全色を提示する色カタログから希望の色の選択が可能であり、その色の選択において、多角度画像情報を参照して選択することが可能であり、更に、装置が複雑・高価とならない電子塗色カタログ装置を提供することができる。
【０００８】
請求項２に記載された発明は、塗色カタログ情報処理手段、塗色カタログ情報格納手段、入力装置及び表示装置を有する電子塗色カタログ装置において、前記塗色カタログ情報格納手段は、多角度画像情報及び色図表示情報を含む塗色に係る塗色情報を、塗色毎に対応させた塗色リストを格納し、前記塗色カタログ情報処理手段は、前記入力装置により入力された入力情報に応じて、塗色の全部又は一部を前記表示装置に色図表示する色図表示手段と、前記入力装置により成された前記表示装置に表示された前記塗色リストの中からの特定の塗色の選択を受付ける選択受付手段と、選択された塗色の塗色に係る情報を前記表示装置に表示する詳細情報表示手段とを有することを特徴とする。
【０００９】
請求項２に記載された発明によれば、全色を提示する色カタログから希望の色の選択が可能であり、その色の選択において、多角度画像情報を参照して選択することが可能であり、更に、装置が複雑・高価とならない電子塗色カタログ装置を提供することができる。
【００１０】
請求項３に記載された発明は、請求項２記載の電子カタログ装置において、所定の塗色を検索する検索手段、近似する塗色を検索する近似検索手段、及び前記表示装置に塗色リストを表示する表示手段とを更に有し、前記検索手段又は前記近似検索手段の処理、前記表示手段の処理、前記選択受付手段の処理、前記詳細情報表示手段の処理を順次行うことを特徴とする。
【００１１】
請求項４に記載された発明は、請求項１ないし３いずれか一項記載の電子塗色カタログ装置において、前記入力情報は、前記表示装置に表示されるカタログ情報を含むことを特徴とする。
【００１２】
請求項５に記載された発明は、請求項１ないし４いずれか一項記載の電子塗色カタログ装置において、前記塗色に係る情報は、湾曲塗板情報を含むことを特徴とする。
【００１３】
請求項６に記載された発明は、請求項１ないし５いずれか一項記載の電子塗色カタログ装置において、前記多角度画像情報又は前記湾曲塗板情報は、デジタルカメラによって撮影された画像情報、スキャナによって取り込んだ画像情報又は測色値から作成した画像情報であることを特徴とする。
【００１４】
請求項７に記載された発明は、請求項２記載の電子塗色カタログ装置において、前記表示装置に表示される前記色図表は、Ｌａｂ色度図、マンセル色表又はＪＡＦＣＡ（ＪＡＰＡＮ  ＦＡＳＨＩＯＮ  ＣＯＬＯＲ  ＡＳＳＯＳＩＡＴＩＯＮ：社団法人日本流行色協会)カラーチャートであることを特徴とする。
【００１５】
請求項８に記載された発明は、請求項７記載の電子塗色カタログ装置において、前記表示装置に表示されたマンセル色表又はＪＡＦＣＡカラーチャートは、前記入力装置により入力された変換情報に応じて、縦横が変換されて表示されることを特徴とする。
【００１６】
請求項９に記載された発明は、請求項２ないし８いずれか一項記載の電子塗色カタログ装置において、前記色図表示手段は、前記入力装置により入力された拡大範囲指定情報に応じて、指定された範囲を拡大して表示することを特徴とする。
【００１７】
請求項１０に記載された発明は、請求項９記載の電子塗色カタログ装置において、拡大表示された画面が、前記入力装置により入力されたスクロール情報に応じて、上下又は左右にスクロールすることを特徴とする。
【００１８】
請求項１１に記載された発明は、請求項１ないし１０いずれか一項記載の電子塗色カタログ装置において、塗色に係る情報を検索キーにして、所定の塗色を検索することを特徴とする。
【００１９】
請求項１２に記載された発明は、請求項１ないし１０いずれか一項記載の電子塗色カタログ装置において、塗色に係る情報を検索キーにして、近似する塗色を検索することを特徴とする。
【００２０】
請求項１３に記載された発明は、多角度画像情報を含む塗色に係る塗色情報を、塗色毎に対応させた塗色リストを格納した塗色カタログ情報処理手段、塗色カタログ情報格納手段、入力装置及び表示装置を有する電子塗色カタログ装置における塗色選択方法において、
前記入力装置により入力された入力情報に応じて、塗色カタログ情報格納手段に格納された塗色リストの全部又は一部を前記表示装置に表示するリスト表示ステップと、前記入力装置により成された前記表示装置に表示された前記塗色リストの中からの特定の塗色の選択を受付ける選択受付ステップと、選択された塗色の塗色に係る情報を前記表示装置に表示する詳細情報表示ステップとを有することを特徴とする。
【００２１】
請求項１４に記載された発明は、多角度画像情報及び色図表示情報を含む塗色に係る塗色情報を、塗色毎に対応させた塗色リストを格納した塗色カタログ情報処理手段、塗色カタログ情報格納手段、入力装置及び表示装置を有する電子塗色カタログ装置における塗色選択方法において、前記入力装置により入力された入力情報に応じて、塗色の全部又は一部を前記表示装置に色図表示する色図表示ステップと、前記入力装置により成された前記表示装置に表示された前記塗色リストの中からの特定の塗色の選択を受付ける選択受付ステップと、選択された塗色の塗色に係る情報を前記表示装置に表示する詳細情報表示ステップとを有することを特徴とする。
【００２２】
請求項１５に記載された発明は、請求項１４記載の塗色選択方法において、所定の塗色を検索する検索ステップ若しくは近似する塗色を検索する近似検索処理ステップ、前記色図表示ステップ、前記選択受付ステップ、前記詳細情報表示ステップを順次行うことを特徴とする。
【００２３】
請求項１６に記載された発明は、請求項２ないし５いずれか一項記載の塗色選択方法をコンピュータに実行させるための塗色選択プログラムである。
請求項１７に記載された発明は、請求項１６に記載の塗色選択プログラムを格納したコンピュータが読みとり可能な記憶媒体である。
【発明の効果】
【００２４】
本発明によれば、全色を提示する色カタログから希望の色の選択が可能であり、その色の選択において、多角度画像情報を参照して選択することが可能であり、更に、装置が複雑・高価とならない電子塗色カタログ装置、塗色選択方法、塗色選択プログラム及び記録媒体を提供するこができる。
【発明を実施するための最良の形態】
【００２５】
(機能ブロック)
図１に本発明の機能ブロック図の例を示す。図１の機能ブロックは、入力装置１０、塗色カタログ情報処理手段１１、表示装置１２、塗色カタログ情報格納手段１３及び印刷装置１４から構成されている。
【００２６】
入力装置１０は、キーボード、マウス等の情報を入力する装置である。本発明では、ＧＵＩ（Graphical User Interface）を搭載したコンピュータで処理することを前提にして説明する。したがって、画面上に表示されたアイコンやウインドウなどのグラフィカルな要素を、ポインティング・デバイスで操作することによって、コンピュータを操作することができる。例えば、利用者は入力装置１０としてマウスを用い、選択ボタン等の上へカーソルを移動させ、クリック動作を行うことにより、種々の指定又は選択を行うことができる。また、入力装置１０として、タッチパネルを用いてもよい。
【００２７】
塗色カタログ情報処理手段１１は、コンピュータと所定のプログラムによって機能するもので本発明の処理の中心を成すものである。この塗色カタログ情報処理手段１１は、リスト表示手段１１１、選択受付手段１１２、詳細情報表示手段１１３、色図表示手段１１４、検索手段１１５及び近似検索手段１１６を有する。
【００２８】
リスト表示手段１１１は、入力装置１０により入力された入力情報に応じて、塗色カタログ情報格納手段１３に格納された塗色リストの全部又は一部を表示装置１２に表示する。
【００２９】
選択受付手段１１２は、入力装置１０により成された表示装置１２に表示された塗色リストの中からの特定の塗色の選択を受付ける。
【００３０】
詳細情報表示手段１１３は、選択された塗色の塗色に係る詳細な情報を表示装置１２に表示する。
【００３１】
色図表示手段１１４は、表示手段、拡大表示手段、画面スクロール手段及び色図表変換手段を有する。色図表示手段１１４の表示手段は、入力装置１０により入力された入力情報に応じて、塗色の全部又は一部を表示装置１２に色図表示する機能を有する。また、拡大表示手段は、入力装置１０により入力された拡大範囲指定情報に応じ、色図表示された画面において、指定された範囲を拡大して表示する機能を有する。画面スクロール手段は、拡大表示された画面において、入力装置１０により入力されたスクロール情報に応じて、上下又は左右にスクロールする機能を有する。色図表変換手段は、表示装置１２に表示されたマンセル色表又はＪＡＦＣＡカラーチャートを、入力装置１０により入力され変換情報に応じて、縦横を変換して表示する機能を有する。
【００３２】
検索手段１１５は、塗色に係る情報を検索キーにして、所定の塗色を検索する機能を有する。
【００３３】
近似検索手段１１６は、塗色に係る情報を検索キーにして、近似する塗色を検索する機能を有する。
【００３４】
表示装置１２は、ＣＲＴ（Ｃａｔｈｏｄｅ ＲａｙＴｕｂｅ）、液晶表示装置等の表示装置である。
【００３５】
塗色カタログ情報格納手段１３は、塗色カタログ情報処理手段１１が参照する塗色カタログの情報を格納している。具体的には、塗色情報と画像を格納している。なお、格納されている情報は、現に、塗料として販売している又は販売を予定している塗色情報である。したがって、ここに格納されていない塗色は、現在扱っていない塗色であると言える。
【００３６】
図２に、塗色カタログ情報格納手段１３に格納されている塗色情報の例を示す。図２によれば、塗色カタログ情報格納手段１３には、次の情報が格納されている。
【００３７】
・連番：塗色カタログ情報格納手段が、格納順に付与した番号である。
【００３８】
・ＩＤ番号：試作段階で付与される番号であり、固有の番号である。
【００３９】
・塗色名：塗色の呼称である。
【００４０】
・識別子１：製造工程で、塗色に付与される識別子である。
【００４１】
・識別子２：製造工程で、２回塗って、所定の塗色を得ている場合において、２回目の塗料の識別子である。
【００４２】
・大分類：製品メーカの業種、例えば、「携帯電話」である。
【００４３】
・メーカ名：塗料メーカの顧客名、例えば、「ＡＢＣ工業株式会社」である。
【００４４】
・製品種：製品の形式、例えば、「形式：ＡＢＣ」である。
【００４５】
・担当社：担当している社、例えば、「日本ペイント」である。
・生産管理番号：生産管理の番号、例えば、「ＡＢ−１２３」である。
・試作番号：試作時に付与した番号である。
【００４６】
・塗料分類：光輝材種類による塗料の分類である。
【００４７】
・材料１：塗料樹脂の大分類である。
【００４８】
・材料２：塗料樹脂の小分類である。
【００４９】
・Ｌ＊値(平均値、１５度値、２５度値、４５度値、７５度値、１１０度値)：Ｌａｂ色度図において、受光角度が１５度、２５度、４５度、７５度及び１１０度の明度値とその平均値である。
【００５０】
・ａ＊値(平均値、１５度値、２５度値、４５度値、７５度値、１１０度値)：Ｌａｂ色度図において、受光角度が１５度、２５度、４５度、７５度及び１１０度のａ＊値とその平均値である。
【００５１】
・ｂ＊値(平均値、１５度値、２５度値、４５度値、７５度値、１１０度値)：Ｌａｂ色度図において、受光角度が１５度、２５度、４５度、７５度及び１１０度のｂ＊値とその平均値である。
ＦＦ値：当該塗色のフリップ・フロップ値である。
【００５２】
例えば、ＦＦ値＝Ｌ＊(１５°)−Ｌ＊(７５°)である。
・ＣＦ値：当該塗色のカラー・フロップ値である。
【００５３】
例えば、ＣＦ値＝｛（Ｃ＊(１５°)＋Ｃ＊(４５°)）×｜ｈ(１５°)−ｈ(４５°)｜＋（Ｃ＊(４５°)
＋Ｃ＊(１１０°)）×｜ｈ(４５°)−ｈ(１１０°)｜｝／２である。
・ＪＡＦＣＡ分類：ＪＡＦＣＡにおける分類方法である。
【００５４】
・ＨＵＥ値：ＪＡＦＣＡ分類におけるヒュー値である。
【００５５】
・ＴＯＮＥ値：ＪＡＦＣＡ分類におけるトーン値である。
【００５６】
・マンセル分類：マンセル表色系における分類方法である。
【００５７】
・色相Ｈ値：マンセル分類におけるヒュー値である。
【００５８】
・明度Ｙ値：マンセル分類におけるバリュー値である。
【００５９】
・色彩Ｃ値：マンセル分類におけるクロマ値である。
・備考：その他特記事項を記入する欄である。
【００６０】
また、塗色カタログ情報格納手段１３に格納されている画像は、デジタルカメラ、スキャナ等を用いて、獲得した画像、又は計測値（分光反射率等）から作成した画像である。デジタルカメラ、スキャナ等により獲得した画像又は測色値(分光反射率等)から作成した画像であるので、安価に、画像データベースを構築することができる。なお、画像は、多角度画像情報、平均画像情報及び湾曲塗板情報を含む。多角度画像情報は、塗膜面に光を照射し、正反射光が入射しない複数の角度で受光した反射光の画像である。ここでは、図３に示すように、４５度で入射した光に対して、受光角度を１５度、２５度、４５度、７５度、１１０度とした画像を用いている。平均画像情報は、多角度画像情報の算術平均の画像情報である。また、湾曲塗板情報は、湾曲した面に塗料を塗布した場合又は塗料を塗布後、湾曲させた場合の画像情報である。
【００６１】
印刷装置１４は、表示された内容を確認等のために印刷する装置である。この印刷装置１４が無くても、本発明を実施することができる。
(全体処理フロー)
色の選択は、次の四つの方法で行うことができる。
一覧表示画面から色を選択する方法
グラフ・色相表示画面から色を選択する方法
単語・条件範囲検索画面から色を選択する方法
近似色検索画面から色を選択する方法
図４を用いて、全体処理フローを説明する。本システムを立ち上げると、図５に示されるようなメニュー画面２０が表示される。
【００６２】
メニュー画面２０には、「データ一覧ボタン」２１、「グラフ・色相表示」ボタン２２、「単語・条件範囲検索」ボタン２３及び近似色検索ボタン２４が表示されている。
【００６３】
「データ一覧」ボタン２１、「グラフ・色相表示」ボタン２２、「単語・条件範囲検索」ボタン２３又は「近似色検索」ボタン２４の上へ、カーソルを移動させ、マウスのクリック動作を行うことにより、一覧表示画面３０、グラフ・色相表示選択画面４０、単語・条件範囲検索画面５０又は近似色検索画面６０に遷移する。
【００６４】
一覧表示画面３０から、塗色選択・受付処理８０を行って、詳細データ表示画面９０に移行することができる。
【００６５】
一方、グラフ・色相表示選択画面４０からは、塗色表示７０を間に挟んで、塗色選択・受付処理８０を行って、詳細データ表示画面９０に移行することができる。
【００６６】
また、単語・条件範囲検索画面５０又は近似色検索画面６０からは、一覧表示画面３０を間に挟んで、塗色選択・受付処理８０を行って、詳細データ表示画面９０に移行することができる。
【００６７】
ここでは、先ず、データ一覧を選択した場合について説明する。データ一覧を選択すると図６に示された一覧表示画面３０が表示される。一覧表示画面３０には、連番、ＩＤ番号、塗色画像、塗色名、識別子１、識別子２、大分類、メーカ名等が表示される。この画面において、ある行をクリック（選択）すると、その行が白抜き文字となる。図６では、連番４の行をダブルクリックした場合が示されており、枠３２の中が白抜き文字となっている。この状態で、更にダブルクリックすると、図７に示されている詳細データ表示画面９０が立ち上がる。
【００６８】
詳細データ表示画面９０は、連番とＩＤ番号の表示欄９１と、塗色名と識別子の表示欄９２と、大分類、メーカ名、製品種、塗料供給社名、生産管理番号及び試作番号の表示欄９３と、塗料分類、工程、材料１及び材料２の表示欄９４と、Ｌａｂ色度図の値、マンセル色表の値、ＪＡＦＣＡカラーチャートの値、ＦＦ値及びＣＦ値が表示されている表示欄９５、受光角度が１５度、２５度、４５度、７５度、１１０度の塗色画像９６、受光角度が１５度、２５度、４５度、７５度、１１０度の平均値の塗色画像９７、湾曲塗板画像９８、備考の表示欄１０１及び作成・更新の表示欄１０２を有している。
【００６９】
これにより、ユーザは、塗色に係る詳細な情報を見て、選択した塗色の確認を行うことができる。
【００７０】
また、詳細データ表示画面９０において、「印刷」ボタンをクリックすると、表示内容が印刷される。また、「前の候補」ボタンをクリックすると、一覧表示における上の行の塗色の詳細情報を表示し、「次の候補」ボタンをクリックすると、一覧表示における下の行の塗色の詳細情報を表示する。
【００７１】
したがって、ユーザは、詳細データ表示画面を見て、目的の塗色と一致していなければ、更に、他の塗色の詳細データをこの詳細データ表示画面９０によって見ることができる。この操作を繰り返して、最終的に、所望の塗色を選択した場合は、その塗色に係る詳細情報を印刷することができる。
【００７２】
図６に戻って、３１の部分をダブルクリックすると、図８に示されている並べ替え操作画面３３が立ち上がる。並べ替え操作画面３３は、並べ替えの対象を示す並べ替え対象欄３３１（この欄は、ドロップダウンリストボックスになっている）と、並べ替えが降順である場合にチェックする降順チェックボックス３３２、並べ替えが昇順である場合にチェックする昇順チェックボックス３３３及び「実行」ボタン３３４を有している。
【００７３】
並べ替え対象欄３３１等によりで並べ替えたいもの及び降順か昇順かを指定して、「実行」ボタン３３４を押下すると並べ替えが実行される。
【００７４】
この「一覧表示画面から色を選択する方法」は、最初からこの方法を用いて、塗色を選択する場合は少ないと思われる。後述するように、検索を行った場合、その検索結果が、一覧表示画面に表示される。検索した場合のように或る程度対象を限定したときに、この「一覧表示画面から色を選択する方法」を用いて塗色を選択することが好ましい。
【００７５】
図５に戻って、次に、メニュー画面２０において、「グラフ・色相表示」ボタン２２をクリックした場合について説明する。「グラフ・色相表示」ボタン２２をクリックして、グラフ・色相表示を選択すると図９に示されたグラフ・色相表示画面４０が表示される。グラフ・色相表示画面４０には、表示方法チェックボックス４１、分類チェックボックス４２、受光角度チェックボックス４３及び「表示画面へ」ボタン４４が表示される。
【００７６】
表示方法チェックボックス４１により、表示する形態として、Ｌａｂ色度図、マンセル色表又はＪＡＦＣＡカラーチャートの中から、一つの形態を選択する。
【００７７】
また、分類チェックボックス４２により、検索キーとなる塗料の成分を、メタリック、パールマイカ、ソリッド、オパール、その他の成分の中から指定する。なお、分類チェックボックス４２において、「Ｍ」はメタリックであり、「Ｐ」はパールマイカであり、「Ｓ」はソリッドであり、「Ｏ」はオパールであり、「他」はその他の成分であり、「ＡＬＬ」は、これら全ての成分を含むことを意味している。また、検索条件「ＯＲ」にチェックをしなければ、「ＡＮＤ」の検索条件となる。
【００７８】
また、受光角度チェックボックス４３により、表示する塗色画像の受光角度を指定する。指定は、受光角度が１５度、２５度、４５度、７５度、１１０度の塗色画像、それらの平均値の塗色画像から選択する。
【００７９】
このグラフ・色相表示画面４０において、表示方法、分類、受光角度を指定して、「表示画面へ」ボタン４４をクリックすると、指定された画面が表示される。図９では、Ｌａｂ色度図、全ての分類、受光角度は平均が選択されている。
【００８０】
図１０に、その結果のＬａｂ色度図の例を示す。図１０のＬａｂ色度図４５では、明度は無視されている。Ｌａｂ色度図４５の左上部に、拡大範囲指定ドロップダウンリストボックス４６がある。ここで、拡大範囲を指定して、Ｌａｂ色度図４５の塗色をダブルクリックすると図１１に示されているＬａｂ図色度図（拡大表示）画面４７が得られる。Ｌａｂ色度図（拡大表示）画面４７において、各辺４８において、カーソルを動かすと矢印に変わり、その方向にグラフが１マス移動することができる。
【００８１】
さらに、Ｌａｂ色度図（拡大表示）画面４７において、所定の塗色画像をクリックすると、図７に示されている詳細データ表示画面９０に画面が遷移する。
【００８２】
詳細データ表示画面９０で選択した塗色の詳細情報を見て、選択した塗色を確認することができる。
【００８３】
この「グラフ・色相表示画面から色を選択する方法」は、全色を提示する色カタログから希望の塗色をその周辺色を見ながら選択することができる。また、詳細データ表示画面により、多角度画像情報を参照して、希望の塗色か否かを確認することができる。ユーザは、詳細データ表示画面を見て、目的の塗色と一致していなければ、更に、スクロールして、他の候補の詳細データ表示画面を見ることができる。そのようにして、「一覧表示画面から色を選択する方法」と同様に、最終的に、所望の塗色を選択した場合は、その塗色に係る詳細情報を印刷することができる。
【００８４】
なお、Ｌａｂ色度図４５及びＬａｂ図色度図（拡大表示）画面４７において、ウインドウサイズを変更することができる。
【００８５】
以上の説明は、このグラフ・色相表示画面４０において、表示方法として、Ｌａｂ色度図が指定された場合であった。
【００８６】
次に、グラフ・色相表示画面４０において、表示方法として、マンセル色表又はＪＡＦＣＡカラーチャートが指定された場合の色図表示された画面を説明する。
【００８７】
図１２は、マンセル色表の例である。図１２（Ａ）は、縦軸が明度であり、横軸が色相の図であり、図１２（Ｂ）は、縦軸が彩度であり、横軸が色相の図である。マンセル色表において、画像のある升目をダブルクリックするとマンセル色表の拡大画面が表示される。
【００８８】
図１３は、マンセル色表の拡大画面である。図７のＬａｂ色度図の拡大画面と同様に、各辺において、カーソルを動かすと矢印に変わり、その方向にグラフが１マス移動する。また、図１３のマンセル色表の拡大画面において、所定の塗色画像をクリックすると、図７に示されている詳細データ表示画面９０に画面が遷移する。詳細データ表示画面９０において、「印刷」ボタンをクリックすると、表示内容が印刷される。また、「前の候補」ボタンをクリックすると、マンセル色表における左から右、上から下の方向にある塗色の詳細情報を表示し、「次の候補」ボタンをクリックすると、その逆の方向の塗色の詳細情報を表示する。
【００８９】
このようにして、詳細データ表示画面９０で選択した塗色の詳細情報を見て、選択した塗色を確認することができる。
【００９０】
図１４は、ＪＡＦＣＡカラーチャートの例である。図１４（Ａ）は、無彩色であり、図１４（Ｂ）は、有彩色である。ＪＡＦＣＡカラーチャートにおいて、画像のある升目をダブルクリックするとＪＡＦＣＡカラーチャートの拡大画面が表示される。
【００９１】
図１５は、ＪＡＦＣＡカラーチャートの拡大画面である。図７のＬａｂ色度図の拡大画面と同様に、各辺において、カーソルを動かすと矢印に変わり、その方向にグラフが１マス移動する。また、図１５のＪＡＦＣＡカラーチャートの拡大画面において、所定の塗色画像をクリックすると、図７に示されている詳細データ表示画面９０に画面が遷移する。詳細データ表示画面９０において、「印刷」ボタンをクリックすると、表示内容が印刷される。また、「前の候補」ボタンをクリックすると、ＪＡＦＣＡカラーチャートにおける左から右、上から下の方向にある塗色の詳細情報を表示し、「次の候補」ボタンをクリックすると、その逆の方向の塗色の詳細情報を表示する。
【００９２】
このようにして、詳細データ表示画面９０で選択した塗色の詳細情報を見て、選択した塗色を確認することができる。
【００９３】
なお、図５のメニュー画面２０において、「Shift＋Ctrl」を押下すると、図１２のマンセル色表及び図１４のＪＡＦＣＡカラーチャートの縦横が、図１６に示すように、変換されて表示することができる。
【００９４】
次に、図５に戻って、メニュー画面２０において、「単語・条件範囲検索」ボタン２３をクリックした場合について説明する。「単語・条件範囲検索」ボタン２３をクリックして、単語・条件範囲検索を選択すると図１７に示された単語・条件範囲検索画面５０が表示される。単語・条件範囲検索画面５０には、検索単語リスト入力領域５１、塗色名による検索入力領域５２、Ｌａｂ色度図による検索入力領域５３、ＪＡＦＣＡカラーチャートによる検索入力領域５４、マンセル色表による検索入力領域５５、フロップ値による検索入力領域５６及び「検索結果画面へ」ボタン５７が表示される。
【００９５】
この単語・条件範囲検索画面５０において、検索単語リスト入力領域５１、塗色名による検索入力領域５２、Ｌａｂ色度図による検索入力領域５３、ＪＡＦＣＡカラーチャートによる検索入力領域５４、マンセル色表による検索入力領域５５、フロップ値による検索入力領域５６に、検索単語及び／又は検索範囲を入力して、「検索結果画面へ」ボタン５７をクリックすると、検索結果が得られる。
【００９６】
検索結果は、上述した図６の一覧表示画面によって表示され。上述したように、この一覧表示画面において、ある行をクリック（選択）すると、その行が白抜き文字となり、更にダブルクリックすると、図７に示されている詳細データ表示画面９０が立ち上がる。
【００９７】
ユーザは、塗色に係る詳細な情報を見て、検索された塗色の確認を行うことができる。また、詳細データ表示画面９０において、「印刷」ボタンをクリックすると、表示内容が印刷される。また、「前の候補」ボタンをクリックすると、一覧表示における上の行の塗色の詳細情報を表示し、「次の候補」ボタンをクリックすると、一覧表示における下の行の塗色の詳細情報を表示する。
【００９８】
したがって、ユーザは、検索条件に合致した所望の塗色であるか否かを、詳細データ表示画面を見て検討することができる。所望の塗色でなければ、更に、別の検索を行い、同様に詳細データ表示画面により、所望の塗色であるか否かを確認することができる。そのようにして、最終的に、所望の塗色を見出した場合は、その塗色に係る詳細情報を印刷することができる。
【００９９】
次に、検索の内容について説明する。
【０１００】
図１８に示されている検索単語リスト入力領域５１により、検索対象の単語を選択する。種別選択５１３により、検索したい単語（種別）を探してクリックする。次いで、選択された種別の項目が、項目選択５１７に表示されるので、この中から検索したい単語（項目）を探してクリックする。この後、「挿入」ボタン５１８を押下すると、選択された種別とその種別で選択された項目が、表示欄５１６に表示される。これにより、選択内容を確認することができる。この操作を、全ての種別について行う。その後、入力した単語を削除する場合には、削除したい単語をクリックし、「削除」ボタン５１４を押下するか、「全削除」ボタン５１５を押下する。
【０１０１】
なお、「製品種別」及び「塗料分類」については、それぞれ、５１１及び５１２により、検索条件ＡＮＤ−ＯＲを選択することができる。
【０１０２】
また、図１９に示されている塗色名による検索入力領域５２により、塗色名フリーワード検索を行う。塗色名による検索入力領域５２の空欄５２１に検索したい単語名を入力して行う。単語の間に空白（スペース）を入力することでＡＮＤ検索を行うことができる。また、「参照」ボタン５２２を押下することで、参照用の塗色名が表示されるので、この塗色名をダブルクリックすることで、塗色名の入力を行うことができる。
【０１０３】
また、図２０に示されているＬａｂ色度図による検索入力領域５３によって、任意の受光角度におけるＬ＊値、ａ＊値、ｂ＊値の範囲を指定して検索することができる。まず、任意の受光角度を選択してクリックする。次いで、選択したい測色値を入力する。空欄をクリックし、キーボードから数字を入力する。なお、全てを入力する必要はなく、検索に必要な測色値だけを入力すればよい。
【０１０４】
また、図２１に示されているフロップ値による検索入力領域５６によって、ＦＦ値、ＣＦ値の範囲を指定して検索することができる。そのために、ＦＦ値範囲、ＣＦ値範囲に数値を入力する。空欄をクリックしキーボードから数字を入力する。なお、ＦＦ値、ＣＦ値の両方に入力する必要はなく、検索に必要なものだけに入力すればよい。
【０１０５】
また、図２２に示されているＪＡＦＣＡカラーチャートによる検索入力領域５４によって、ＪＡＦＣＡのＨｕｅ、Ｔｏｎｅを入力して検索することができる。まず、任意の受光角度を選択してクリックする。次いで、希望する範囲の▼ボタンを押下し、ＪＡＦＣＡ記号をクリックする。なお、Ｈｕｅ、Ｔｏｎｅの両方に入力する必要はなく、検索に必要なものだけに入力すればよい。
【０１０６】
また、図２３に示されているマンセル色表による検索入力領域５５によって、マンセル色表のＨ、Ｖ、Ｃを入力して検索することができる。まず、任意の受光角度を選択してクリックする。次いで、希望する範囲の▼ボタンを押下し、マンセル値をクリックする。なお、Ｈ、Ｖ、Ｃの全てを入力する必要はなく、検索に必要なものだけに入力すればよい。
【０１０７】
次に、図５に戻って、メニュー画面２０において、「近似色検索」２４をクリックした場合について説明する。「近似色検索」ボタン２４をクリックして、近似色検索を選択すると図２４に示された近似色検索画面６０が表示される。
【０１０８】
この画面において、まず、任意の受光角度を選択してクリックする（複数選択可）。次いで、Ｌ＊値、ａ＊値、ｂ＊値を入力する。次いで、表示色数の▼ボタンを押下し、一覧結果で表示したいデータ数を入力する。次いで、「近似色検索結果表示」ボタンを押下する。
【０１０９】
これにより、検索結果が、上述した図６一覧表示画面によって表示される。以下、単語・条件範囲検索で述べた方法により、塗色を選択する。
【０１１０】
図２５に本発明のシステム構成図を示す。図２５のシステムは、コンピュータ１００、表示装置２１０、入出力装置２２０から構成されている。  
また、コンピュータ１００は、ＣＰＵ（Central Processing Unit）１１０、塗色選択プログラム１２０、アプケーションソフトウエア１３０及びデータベース１４０を有する。
【０１１１】
塗色選択プログラム１２０は、一覧表示部１２１、並び替え処理部１２２、グラフ化表示部１２３、ふるい分け部１２４、単語検索処理部１２５、近似色検索部１２６及びデータベース処理部１２７を有する。また、データベース１４０は、塗色情報と画像を有している。
【０１１２】
塗色選択プログラム１２０における一覧表示部１２１は、一覧表示のためのプログラムであり、並び替え処理部１２２は、並び替えのためのプログラムであり、グラフ化表示部１２３は、データをグラフ化して表示するためのプログラムであり、ふるい分け部１２４は、データをふるい分けするためのプログラムであり、単語検索処理部１２５は、所定の単語を検索キーにして検索を行うためのプログラムであり、近似色検索部１２６は、近似検索を行うためのプログラムであり、データベース処理部１２７はデータベース１４０を処理するためのプログラムである。
【０１１３】
ところで、図２５における表示装置２１０は、図１における表示装置１２に対応し、図２５における入出力装置２２０は、図１における入力装置１０及び印刷装置１４に対応している。
【０１１４】
また、図２５におけるＣＰＵ１１０、塗色選択プログラム１２０、アプケーションソフトウエア１３０は、図１における塗色カタログ情報処理手段１１に対応している。
【０１１５】
つまり、図１における塗色カタログ情報処理手段１１におけるリスト表示手段１１１、選択受付手段１１２、詳細情報表示手段１１３、色図表示手段１１４、検索手段１１５及び近似検索手段１１６は、図２５におけるＣＰＵ１１０、塗色選択プログラム１２０、アプケーションソフトウエア１３０を機能的に表現したものである。
【０１１６】
営業担当者は、本発明の電子塗色カタログ装置を携帯して、客先で、塗色カタログを簡単に、提示することができる。
【０１１７】
また、ユーザから、この電子塗色カタログ装置の色によって、塗料を受注することができる。さらに、この電子塗色カタログ装置を用いることにより、暗い色となる角度の色と、明るい色となる角度の色とを組み合わせた色の塗料の受注を受けることが可能となる。
【図面の簡単な説明】
【０１１８】
【図１】本発明の機能ブロック図の例を説明するための図である。
【図２】塗色カタログ情報格納手段１３に格納されている塗色情報の例である。
【図３】受光角度を説明するための図である。
【図４】全体処理フローを説明するための図である。
【図５】メニュー画面を説明するための図である。
【図６】一覧表示画面を説明するための図である。
【図７】詳細データ表示画面を説明するための図である。
【図８】並べ替え操作画面を説明するための図である。
【図９】グラフ・色相表示画面を説明するための図である。
【図１０】Ｌａｂ色度図を説明するための図である。
【図１１】Ｌａｂ色度図（拡大表示）画面を説明するための図である。
【図１２】マンセル色表画面を説明するための図である。
【図１３】マンセル色表の拡大画面を説明するための図である。
【図１４】ＪＡＦＣＡカラーチャート画面を説明するための図である。
【図１５】ＪＡＦＣＡカラーチャートの拡大画面を説明するための図である。
【図１６】マンセル色表及びＪＡＦＣＡカラーチャートの縦横の変換を説明するための図である。
【図１７】単語・条件範囲検索画面を説明するための図である。
【図１８】検索対象単語の選択を説明するための図である。
【図１９】塗色名フリーワードによる検索単語の入力を説明するための図である。
【図２０】Ｌａｂ色度図の範囲指定を説明するための図である。
【図２１】フリップ値の範囲指定を説明するための図である。
【図２２】ＪＡＦＣＡカラーチャートの範囲指定を説明するための図である。
【図２３】マンセル色表の範囲指定を説明するための図である。
【図２４】近似色検索を説明するための図である。
【図２５】本発明のシステム構成図を説明するための図である。
【符号の説明】
【０１１９】
１０    入力装置
１１    塗色カタログ情報処理手段
１２    表示装置
１３    塗色カタログ情報格納手段
１４    印刷装置
２０    メニュー画面
２１    データ一覧ボタン
２２    グラフ・色相表示ボタン
２３    単語・条件範囲検索ボタン
２４    近似色検索ボタン
３０    一覧表示画面
３３    並べ替え操作画面
４０    グラフ・色相表示画面
４５    Ｌａｂ色度図
４７    Ｌａｂ色度図（拡大表示）画面
５０    単語・条件範囲検索画面
５１    検索単語リスト入力領域
５２    塗色名による検索入力領域
５３    Ｌａｂ色度図・検索入力領域
５４    ＪＡＦＣＡカラーチャート入力領域
５５    マンセル色表入力領域
５６    フロップ値検索入力領域
６０    近似色検索画面
７０    塗色表示
８０    塗色選択・受付
９０    詳細データ表示画面
１１１    リスト表示手段
１１２    選択受付手段
１１３    詳細情報表示手段
１１４    色図表示手段
１１５    検索手段
１１６    近似検索手段
【図１】
2005339381.tif 000003
【図２】
2005339381.tif 000004
【図３】
2005339381.tif 000005
【図４】
2005339381.tif 000006
【図５】
2005339381.tif 000007
【図８】
2005339381.tif 000008
【図９】
2005339381.tif 000009
【図１０】
2005339381.tif 000010
【図１１】
2005339381.tif 000011
【図１２】
2005339381.tif 000012
【図１３】
2005339381.tif 000013
【図１４】
2005339381.tif 000014
【図１５】
2005339381.tif 000015
【図１６】
2005339381.tif 000016
【図１７】
2005339381.tif 000017
【図１８】
2005339381.tif 000018
【図１９】
2005339381.tif 000019
【図２０】
2005339381.tif 000020
【図２１】
2005339381.tif 000021
【図２２】
2005339381.tif 000022
【図２３】
2005339381.tif 000023
【図２４】
2005339381.tif 000024
【図２５】
2005339381.tif 000025
【図６】
2005339381.tif 000026
【図７】
2005339381.tif 000027